(57)【特許請求の範囲】
【請求項１】
袋状本体の開口部の近傍における内側に、前記開口部を横切る横断方向に伸びるように形成された前記開口部を封止するプラスチックのチャック部を備え、
前記チャック部は、前記横断方向に伸びるように前記内側に積層された一対のプラスチックフィルムと、
前記横断方向に伸びるように前記一対のプラスチックフィルムに形成されたチャックとを有し、
前記一対のプラスチックフィルムのそれぞれが、吸湿性プラスチック層と前記吸湿性プラスチック層に積層されたゼオライト非含有ポリオレフィン層とで形成され、
前記チャックが、前記ゼオライト非含有ポリオレフィン層に、ゼオライトを含有しないプラスチックで形成されている、密封構造式吸水チャック。
【請求項２】
前記ゼオライトを含有するプラスチックが、ポリオレフィンである、請求項１に記載の密封構造式吸水チャック。
【請求項３】
前記ポリオレフィンの密度が、０．８８０〜０．９６０ｇ／ｍｌである、請求項２に記載の密封構造式吸水チャック。
【請求項４】
前記チャック部は、さらに、前記横断方向に伸びるように前記一対のプラスチックフィルムの前記チャックより前記開口部側に形成された別のチャックを有し、
前記一対のプラスチックフィルムのそれぞれの前記ゼオライト非含有ポリオレフィン層は、前記チャックと前記別のチャックとの間に形成され、前記吸湿性プラスチック層が露出する貫通孔を有する、請求項１から３のいずれかに記載の密封構造式吸水チャック。
【請求項５】
前記チャックは、前記横断方向に伸びるように前記一対のプラスチックフィルムの一方に形成された一対の雌鈎爪と、前記横断方向に伸びるように前記一対のプラスチックフィルムの他方に形成された一対の雄鈎爪であって前記一対の雌鈎爪にそれぞれ係合可能な一対の雄鈎爪と、を有する、請求項１から４のいずれかに記載の密封構造式吸水チャック。
【請求項６】
前記チャックは、さらに、それぞれが各雌鈎爪と各雄鈎爪とが互いに係合して一対のロック部を形成した際に、互いに気密状に係合する一対のシール部分を有するシール部を有し、
前記一対のシール部分の一方は、前記横断方向に伸びるように、前記一対の雌鈎爪の間における前記一対のプラスチックフィルム部の一方に形成され、
前記一対のシール部分の他方は、前記横断方向に伸びるように前記一対の雄鈎爪の間における前記一対のプラスチックフィルムの他方に形成された、請求項５に記載の密封構造式吸水チャック。
【請求項７】
前記一対のシール部分の一方が、各ロック部の雌鈎爪及び雄鈎爪のうち一方の鈎爪と平行になるように、前記一対のプラスチックフィルムのうち前記一方の鈎爪が形成されているプラスチックフィルムに形成された溝状の締めつけ壁を有し、
前記一対のシール部分の他方が、他方の鈎爪と平行になるように、前記他方の鈎爪に形成された、前記締めつけ壁に圧接する押しつけリブを有する、請求項１から６のいずれかに記載の密封構造式吸水チャック。
【請求項８】
前記締めつけ壁の断面が、前記一方の鈎爪が形成されているプラスチックフィルムから離れるに従って広くなる連続した溝である、請求項７に記載の密封構造式吸水チャック。
【請求項９】
前記一対のシール部分のそれぞれが、前記押しつけリブが前記締めつけ壁に圧接するように、前記押しつけリブと前記締めつけ壁とがラインコンタクト又は面コンタクトする接触面を有する、請求項７又は８に記載の密封構造式吸水チャック。
【請求項１０】
前記締めつけ壁及び前記押しつけリブが、前記締めつけ壁及び前記押しつけリブのうち一方の剛性が他方の剛性より高く、他方の弾力性が一方の弾力性よりあるような断面形状で形成された、請求項７から９のいずれかに記載の密封構造式吸水チャック。
【請求項１１】
前記締めつけ壁及び前記押しつけリブが、前記締めつけ壁及び前記押しつけリブのうち一方の剛性が他方の剛性より高くなるような、かつ、他方の弾力性が一方の弾性力よりあるような材質で構成した、請求項７から１０のいずれかに記載の密封構造式吸水チャック。
【請求項１２】
前記ポリオレフィンが、ポリエチレン、エチレン系エラストマー、ポリプロピレン及びプロピレン系エラストマーから選ばれる単体又は混合物の組み合わせである請求項１から１１のいずれかに記載の密封構造式吸水チャック。
【請求項１３】
前記ポリエチレンが、低密度ポリエチレン又はエチレン系エラストマーである、請求項１から１２のいずれかに記載の密封構造式吸水チャック。
【請求項１４】
前記一対のプラスチックフィルム及び／又は前記チャックのゼオライトを含有するプラスチック層のゼオライトの細孔径が３〜１０Åである、請求項１から１３のいずれかに記載の密封構造式吸水チャック。
【請求項１５】
前記一対のプラスチックフィルム及び／又は前記チャックのゼオライトを含有するプラスチック層のゼオライトの含有量が１〜５０重量％である、請求項１から１４のいずれかに記載の密封構造式吸水チャック。
【請求項１６】
前記一対のプラスチックフィルム及び／又は前記チャックが、ゼオライトを含有するプラスチック層の吸湿に応じて前記一対のプラスチックフィルム及び／又は前記チャックのプラスチックの屈折率が変わるインジケート機能を有する、請求項１から１４のいずれかに記載の密封構造式吸水チャック。
【発明の詳細な説明】
【技術分野】
【０００１】
本発明は、密封構造式吸水チャックに関する。
【背景技術】
【０００２】
従来、生鮮食品の包材において、生鮮食品の酸化を防止したり生鮮食品の鮮度を維持したりするために、生鮮食品を収容した包材の内部に、窒素などの不活性ガスや酸素を充填する形態の包材が使われている。
そのような包材は、例えば、特許文献１に記載の包装袋がある。特許文献１に記載の包装袋は、酸素吸収機能を有する袋基体の開口部に再密封及び再開封可能な一般的なチャック部を備えており、種々の飲食品、例えば、ハム・ソーセージ、ハンバーグ、カレー、シチュー、お粥、中華料理の具、液体調味料などをボイル又はレトルト熱処理し、殺菌又は滅菌処理した包装製品を製造する包装袋として有用なものであるとしている。
【先行技術文献】
【特許文献】
【０００３】
【特許文献１】特開２００７−０２２５５８号公報
【発明の概要】
【発明が解決しようとする課題】
【０００４】
しかし、そのような袋基体の開口部に一般的なチャック部を形成したチャック付の包材において、袋基体の内部を減圧にした場合、チャック部より徐々に大気が漏れ込み、袋基体の内部の減圧状態が保たれない。
また、開口部のチャック部から袋基体の内部に侵入する微量の湿った空気をできるだけ抑えたいという要望がある。
また、最近では袋基体の内部に食品などを保存している際において、チャック部からダニなどが侵入し、その食品が、アレルギーを発生するような不衛生な状態となった事例が報告されている。
【０００５】
本発明の目的は、包材内への水分透過を抑制すると共に内容物の雰囲気を乾燥した状態に保つことのできる密閉性の高い密封構造式吸水チャックを提供することにある。
【課題を解決するための手段】
【０００６】
本発明に係る密封構造式吸水チャックは、袋状本体の開口部の近傍における内側に、前記開口部を横切る横断方向に伸びるように形成された前記開口部を封止するプラスチックのチャック部を備える。前記チャック部は、前記横断方向に伸びるように前記内側に積層された一対のプラスチックフィルムと、前記横断方向に伸びるように前記一対のプラスチックフィルムに形成されたチャックとを有する。前記一対のプラスチックフィルム及び／又は、前記チャックが、ゼオライトを含有するプラスチックで形成されている。
【０００７】
また、前記チャック部は、さらに、前記横断方向に伸びるように前記一対のプラスチックフィルムの前記チャックより前記開口部側に形成された別のチャックを有することが好ましい。前記一対のプラスチックフィルムのそれぞれは、前記チャックと前記別のチャックとの間に形成された貫通孔を有することが好ましい。
【発明の効果】
【０００８】
本発明によれば、密封構造式吸水チャックを、袋状本体の開口部の近傍における内側に、密封構造式吸水チャックが開口部を横切る横断方向に伸びるように形成することにより、袋状本体内の空間部分を密閉状態に保ち、また、袋状本体内への水分透過を外層により抑制することができる。
さらに、一対のプラスチックフィルムがゼオライトを含有しポリオレフィンを有する吸湿性プラスチック層を有しているので、一対のプラスチックフィルムのチャックが形成する空間部分の湿気及び一対のプラスチックフィルムの近傍における袋状本体内の空間部分の湿気を吸収する。
これにより、一対のプラスチックフィルムのチャックが形成する空間部分の雰囲気を乾燥状態にすると共に、その空間部分の圧力を減圧する。その空間部分が減圧されると、チャックがより密着的に係合する。
【０００９】
また、チャック部は、吸湿機能を保有しているので、チャックが形成する空間部分（例えば、図１における空間部分Ｒ）や、チャックと別のチャックとの間における一対のプラスチックフィルムに挟まれた空間部分（例えば、図１における空間部分Ｑ）の雰囲気を乾燥状態にする。このため、万が一、ダニなどがチャック部から侵入しようとしても、進入途中に乾燥状態の空間部分があるので、ダニなどは、乾燥状態を嫌って、その空間部分に侵入しない。仮に、ダニなどがその乾燥した空間部分に侵入したとしても、侵入したダニなどは乾燥により死滅するから、袋状本体の内部には到達しない。このため、チャック部は、袋状本体の内部に保存した保存物への侵入防止に有効に作用する。
【００１０】
よって、本発明によれば、包材内への水分透過を抑制すると共に内容物の雰囲気を乾燥した状態に保つことのできる密閉性の高い密封構造式吸水チャックを提供することができる。
【００１１】
本発明の密封構造式吸水チャックを備えた湿分吸収包材は、環境中の水分や湿気の存在が好ましくない材料の包装、保存に適している。密封構造式吸水チャックを備えた湿分吸収包材は、例えば、水分や湿気によって変質しやすい材料、すなわち加水分解反応、溶解、固着などを起こしやすい医薬品、化粧品、乾燥食品、化学物質などや、Ｌｉ電池関連の電極や材料、また、錆びなどを発生しやすい金属製機械、装置、動作不良を起こしやすい精密機器や電子部品などの保管や輸送時の包材として好適である。
【図面の簡単な説明】
【００１２】
【図１】本発明に係る密封構造式吸水チャックの一部断面図である。
【図２】図１に示した密封構造式吸水チャックの部分拡大図である。
【図３】図１に示した密封構造式吸水チャックの湿分を吸収した状態を示す一部断面図である。
【図４】本発明に係る密封構造式吸水チャックの別のチャックの部分拡大図である。
【図５】本発明に係る密封構造式吸水チャックのさらに別のチャックの部分拡大図である。
【図６】本発明に係る密封構造式吸水チャックのさらに別のチャックの部分拡大図である。
【図７】本発明に係る密封構造式吸水チャックのさらに別のチャックの部分拡大図である。
【図８】本発明に係る密封構造式吸水チャックのさらに別のチャックの部分拡大図である。
【図９】密封構造式吸水チャックの重量の経時変化を測定した結果を示すグラフである。
【発明を実施するための形態】
【００１３】
図１及び図２を参照するに、密封構造式吸水チャックであるチャック部６０を備えた密封構造式吸水チャック付き湿分吸収包材１０は、袋状本体５０と、開口部５２の近傍における内側に、開口部５２を横切る横断方向Ｘに伸びるように形成され開口部５２を封止するプラスチックのチャック部６０とを備える。チャック部６０は、２つのチャック７０、７１を備える。本実施の形態では、チャック７０は、開口部５２において袋側部分Ｐの側に、チャック７１は、開口部５２において袋側部分Ｐとは反対側に備える。
【００１４】
（袋状本体）
袋状本体５０は、水分不透過性の外層２０とポリオレフィンの内層３０とを有する２枚の積層フィルム４０によって構成されている。袋状本体５０は、２枚の積層フィルム４０の周囲を溶着などの公知の方法により密閉状態の接合部５４を形成し、袋側部分Ｐを備える。
袋状本体５０の材質は、特に限定されないが、例えば、一般的なポリオレフィン包材であってもよいし、湿分吸収性能を有する機能性包材などでもよい。湿分吸収効果をより効果的に発揮させるためには、本密封構造式吸水チャックは、湿分吸収性能を有する包材との組み合わせをすることが好ましい。外層２０は、例えば、積層フィルム４０の表面層を構成し、プラスチック層２２及びアルミ箔層２４を備える。内層３０が湿分吸収性能を有する包材の場合、内層３０は、例えば、ゼオライトを含有しポリオレフィンを有する吸湿性プラスチック層３２と、ゼオライトを含有せずポリオレフィンを有する一対のゼオライト非含有ポリオレフィン層３４、３４とを有し、一対のゼオライト非含有ポリオレフィン層３４、３４は、吸湿性プラスチック層３２を挟むように吸湿性プラスチック層３２の両側に積層されていることが好ましい。
【００１５】
（チャック部）
チャック部６０は、袋状本体５０の開口部５２の近傍における内側に形成されている。チャック部６０は、互いに同じ形状のチャック７０、７１を有する。チャック７１は、横断方向Ｘと直角の方向Ｙにおいて、一対のプラスチックフィルム７２及び７４のチャック７０より開口部５２側に形成されている。
チャック７０、７１は、横断方向Ｘに伸びるように開口部５２の内側に積層された一対のプラスチックフィルム７２、７４と、横断方向Ｘに伸びるようにプラスチックフィルム７２に形成された一対の雌鈎爪８２、８３と、横断方向Ｘに伸びるようにプラスチックフィルム７４に形成された一対の雄鈎爪８４、８５と、一対のシール部分８６、８７からなるシール部８８とを有する。一対のシール部分８６、８７は、それぞれ、雌鈎爪８２、８３と雄鈎爪８４、８５とが互いに係合して一対のロック部９０、９１を形成した際に互いに気密状に係合して、シール部８８となる。一対の雄鈎爪８４、８５は、それぞれ、一対の雌鈎爪８２、８３に係合可能に構成されている。シール部分８６は、横断方向Ｘに伸びるように、雌鈎爪８２と雌鈎爪８３との間における一対のプラスチックフィルム７２に形成されている。シール部分８７は、横断方向Ｘに伸びるように雄鈎爪８４と雄鈎爪８５との間におけるプラスチックフィルム７４に形成されている。
【００１６】
チャック部６０において、一対のプラスチックフィルム７２、７４及び／又はチャック７０、７１が、ゼオライトを含有するプラスチックで形成される。
このうち特に、一対のプラスチックフィルム７２及び７４は、ゼオライトを含有しポリオレフィンを有する吸湿性プラスチック層７２ａ及び７４ａを有していることが好ましい。
また、チャック部６０のうち一対のプラスチックフィルム７２、７４はゼオライトを含有するプラスチックで形成され、チャック７０、７１はゼオライトを含有しないプラスチックで形成されていることがより好ましい。このようにすることにより、チャック部６０を繰り返して開けたり閉めしたりしても、チャック部６０の表面にゼオライトが析出しないので、チャック部６０の繰り返し開閉による密閉性の低下を抑えることができる。
一対のプラスチックフィルム７２及び７４のチャック７０、７１が形成する空間部分Ｒの湿気及び一対のプラスチックフィルム７２及び７４の近傍における袋状本体５０内の袋側部分Ｐ、空間部分Ｑ及びＲの湿気を吸収する。
これにより、一対のプラスチックフィルム７２及び７４のチャック７０、７１が形成する空間部分Ｒの雰囲気を乾燥状態にすると共に、空間部分Ｒの圧力を減圧する。空間部分Ｒの圧力が減圧されると、チャック７０、７１が密着的に係合する。
【００１７】
プラスチックフィルム７２及び７４のゼオライト非含有ポリオレフィン層７２ｂ、７４ｂは、それぞれ、チャック７０とチャック７１との間に形成された貫通孔７５及び７６を有する。貫通孔７５及び７６からは、それぞれ、プラスチックフィルム７２及び７４の吸湿性プラスチック層７２ａ、７４ａが露出しているので、吸湿性プラスチック層７２ａ、７４ａは、２つのシール部８８の間（換言するとチャック７０とチャック７１との間）の空間部分Ｑの湿気を吸湿することが可能になる。すなわち、チャック部６０に形成された空間部分Ｑの湿気を吸湿することによって、チャック部６０での吸湿もされるため、袋状本体５０の袋側部分Ｐの吸湿効果をより効率的に持続することができる。
貫通孔７５及び７６の形状は、円筒側面形状として説明したが、多角形の筒状側面形状であってもよいし、円錐形状や多角形錐形状の側面であってもよい。また、貫通孔７５及び７６は、１列に並ぶように形成されているが、複数列であってもよい。複数列の場合、千鳥配列（列の伸びる方向において、一方の列の貫通孔と他方の列の貫通孔とが、隣接する貫通孔の間のピッチの半分だけずれている配列）や格子配列（列の伸びる方向において、一方の列の貫通孔と他方の列の貫通孔とが揃う配列）やこれらの組み合わせであってもよい。
【００１８】
プラスチックフィルム７２、７４に用いられる吸湿性プラスチック層７２ａ、７４ａやゼオライト非含有ポリオレフィン層７２ｂ、７４ｂのポリオレフィンの密度は、０．８８０〜０．９６０ｇ／ｍｌの範囲にあるものから選ぶことができる。さらに、吸湿性プラスチック層７２ａ、７４ａのポリオレフィンの密度を、ゼオライト非含有ポリオレフィン層７２ｂ、７４ｂのポリオレフィンの密度より低くすることによって吸湿速度を向上することができる。
吸湿性プラスチック層７２ａ、７４ａは、ポリエチレン又はエチレン系エラストマーにゼオライトを練り込んだものであることが好ましい。
吸湿性プラスチック層７２ａ、７４ａやゼオライト非含有ポリオレフィン層７２ｂ、７４ｂのポリオレフィンは、ポリエチレン、エチレン系エラストマー、ポリプロピレン又はプロピレン系エラストマーから選ばれる単体又は混合物が好ましい。吸湿性プラスチック層７２ａ、７４ａやゼオライト非含有ポリオレフィン層７２ｂ、７４ｂのポリオレフィンは、さらに好ましくは、ポリエチレン又はエチレン系エラストマーであり、ゼオライト非含有ポリオレフィン層７２ｂ、７４ｂのポリエチレン又はエチレン系エラストマーの密度は０．８８０〜０．９３０ｇ／ｍｌであり、さらに好ましくは、０．９１０〜０．９２５ｇ／ｍｌである。また、前記一対のゼオライト非含有のポリエチレンの密度は、０．９１０ｇ〜０．９６０ｇ／ｍｌであり、さらに好ましくは、０．９１５〜０．９３０ｇ／ｍｌである。ポリエチレンは、低密度ポリエチレン又はエチレン系エラストマーであることが好ましい。
【００１９】
吸湿性プラスチック層７２ａ、７４ａは、細孔径が３Å〜１０Åのゼオライトを用いることが好ましく、さらに好ましくは、細孔径が３Å〜４Åのゼオライトを用いることである。吸湿性プラスチック層７２ａ、７４ａは、水分子のみを吸着することが可能となるように、３Å〜４Åの細孔径を持つゼオライトを吸湿性プラスチック層７２ａ、７４ａに用いることが好ましい。
例えば、細孔径が３Å〜４Åのゼオライトとしては、結晶構造がＡ型で、金属カチオンがアルカリ金属及び／又はアルカリ土類金属であるゼオライトが挙げられる。金属カチオンは、２種類以上であっても構わない。金属カチオンは、好ましくは、アルカリ金属、特に好ましくは、カリウムやナトリウムであるモレキュラーシーブが挙げられる。
【００２０】
吸湿性プラスチック層７２ａ、７４ａのゼオライトの含有量が５０質量％を越えると製膜は可能であるが成形品としての可撓性がなくなり、一方、１質量％未満ではゼオライトの吸湿能力が十分に発揮されない。吸湿性プラスチック層７２ａ、７４ａのゼオライト含有量は、除湿したい水分量によって適宜選択することが可能ではあるが、吸湿性能、加工性及び包装材料の物性などから鑑みると、吸湿性プラスチック層７２ａ、７４ａのゼオライトの含有量は、１質量％〜５０質量％であることが好ましい。ゼオライト含有量は、さらに好ましくは、１０質量％〜４０質量％である。
【００２１】
また、プラスチックフィルム７２、７４は、吸湿性プラスチック層７２ａ、７４ａにゼオライトを混合させることによって半透明フィルムとなるが、吸湿性プラスチック層７２ａ、７４ａの吸湿に応じてプラスチックフィルム７２、７４の屈折率が変わり、半透明のフィルムが吸湿するに従って透明に変わることから吸湿状態を判断することができる。この機能を利用することによって吸湿状態のインジケート機能を有するフィルムにすることができる。特に、シリカ蒸着ＰＥＴフィルムをなどの透明性材料用いた場合、吸湿状態を外層２０の外から判断することが可能である。透明となる部分に着色しておけば、インジケート機能がより明確になる。
【００２２】
シール部分８６、８７は、それぞれ、雄鈎爪８４、８５と平行になるように、雄鈎爪８４、８５に形成された溝状の締めつけ壁９２と、雌鈎爪８２、８３と平行になるように、プラスチックフィルム７２に形成され、締めつけ壁９２に圧接する押しつけリブ９３と、を有する。締めつけ壁９２の断面は、雌鈎爪８２、８３が形成されているプラスチックフィルム７４から離れるに従って広くなる連続した溝を構成している。シール部８８は、押しつけリブ９３と締めつけ壁９２とがラインコンタクト又は面コンタクトするように、押しつけリブ９３が、締めつけ壁９２に圧接するように構成されている。締めつけ壁９２及び押しつけリブ９３は、締めつけ壁９２及び押しつけリブ９３のうち一方の剛性が他方の剛性より高く、他方の弾力性が一方の弾力性よりあるように構成している。又は、締めつけ壁９２及び押しつけリブ９３は、締めつけ壁９２及び押しつけリブ９３のうち一方の剛性が他方の剛性より高くなるような、かつ、他方の弾力性が一方の弾性力よりあるような材質で構成してもよい。
【００２３】
密封構造式吸水チャック付き湿分吸収包材１０についてさらに詳細に説明する。
雌鈎爪８２、８３又は雄鈎爪８４、８５の内側に形成されている締めつけ壁９２は、雌鈎爪８２、８３又は雄鈎爪８４、８５の内側の押しつけリブ９３と密着して袋状本体内を気密に保持することができるように、原則として根本において狭く、先が広くなっている逆三角形（直線でも曲線であってもよいテーパー形状）の連続した溝を形成していることが好ましい。他方の鈎爪は十分な剛性を備え、外力に対して変形を起こさない構造であることが好ましい。この鈎爪の内側には押しつけリブを設けることが好ましいが、この押しつけリブは一方の鈎爪の内側に設けられた締めつけ壁との間において、雌鈎爪及び雄鈎爪の結合により、ラインコンタクトあるいは面コンタクトの完全なシール部８８を形成するように形成されている。
【００２４】
このコンタクトは、単に密閉性を目的とするだけであれば、プラスチックチャックのロック部の結合により、締めつけ壁の壁面に対し押しつけリブの先端部が圧着する程度に密接なコンタクトができればよい。また、コンタクトは、ラインコンタクトであっても面コンタクトであっても密閉できればその形式は問わない。もし強度の圧力又は密封度の高い包材の必要がある場合には、ロック部の材質の剛性も高いものが必要になるが、シール部８８の圧着の圧力を強くすることが好ましい。
【００２５】
シール部８８は、締めつけ壁面の断面（溝）が逆三角形の直線状であっても、又はゆるいカーブを描いた曲線であってもよい。また、締めつけ壁面に接触する押しつけリブの先端部は、ラインコンタクトあるいは面コンタクトできればよいので、例えば断面が半円状、楕円形状、三角形状、矩形状、梯形状あるいは多角形状など、形状はいかなるものであってもよい。製造の容易性からは半円形状、楕円形状、矩形状などが好ましい。
【００２６】
プラスチックフィルム７２は、雌鈎爪８２、８３及び雄鈎爪８４、８５の内側に押しつけリブ９３を設けている。プラスチックフィルム７４には、雌鈎爪８２、８３と係合する雄鈎爪８４、８５を設けている。雄鈎爪８４、８５は、雄鈎爪８４、８５の鈎の反対側（内側）を根本が狭く、先端が広い溝状の締めつけ壁９２を構成している。締めつけ壁９２の面は、押しつけリブ９３と圧接してシール可能であれば平面であっても曲面であってもよい。締めつけ壁９２の面を、僅かの曲率を有する曲面にすると、締めつけ壁の製造は容易になる。
【００２７】
なお、押しつけリブ９３、締めつけ壁９２の組み合わせにおいて、成形上、形状の精密性を高くすることが容易でない場合がある。そのような場合は、一方の剛性を高く、他方が弾力性を有するようにすれば、シールの密閉性を高めることができる。しかし、ロック部の雌鈎爪、雄鈎爪はロックのために柔軟性を付与することは問題があり、鈎爪と押しつけリブ又は締めつけ壁９２の材質を変えて製造することも困難である場合には、例えば高剛性を付与する側の根本部分を厚く、弾力性を付与する側の根本部分を凹み９５を設けるなどにより薄く成形することが好ましい。
【００２８】
以上の密封構造式吸水チャック付き湿分吸収包材１０は、これの袋部に内容物を入れ、開口部５２をチャック７０、７１で密閉状態にすることにより、シール部８８及び一対のロック部９０、９１は、一対のプラスチックフィルム７２、７４の間に形成され、袋状本体５０内を密閉状態に保ち、また、袋状本体５０内への水分透過を外層２０により抑制することにより、袋状本体５０内の雰囲気を維持した状態に保つことができる。
【００２９】
さらに、開口部５２がチャック７０、７１で密閉状態にされた状態で、内層３０の吸湿性プラスチック層３２が袋状本体５０内の湿気を吸収するので、袋状本体５０内の雰囲気が乾燥状態になると共に、袋状本体５０内の圧力は減圧される。袋状本体５０内の圧力が減圧されると、袋状本体５０を構成する２枚の積層フィルム４０が内容物に密着する。このとき、図３に示すように、チャック７０よりも袋側部分Ｐの側の一対のプラスチックフィルム７２、７４（図３においてＡ、Ｂの範囲）は、互いに接近する様に（図３において矢印Ｆの方向に）、撓む。このため、２つのチャック７０、７１のうち袋側部分Ｐのチャック７０において、一対のロック部９０、９１のうち、シール部８８より袋側部分Ｐの側のロック部９１を構成する雌鈎爪８３と雄鈎爪８５とは、シール部８８側に撓ませる力を受ける。したがって、撓ませる力は、押しつけリブ９３が雌鈎爪８３と雄鈎爪８５とに形成されている溝状の締めつけ壁９２に圧接する圧接力を増加させるように作用し、シール部８８の気密性をより向上させる。
【００３０】
さらに、図３のＡ、Ｂの範囲が互いに近づくように撓むと、チャック７０とチャック７１との間の範囲のプラスチックフィルム７２、７４は互いに離れる方向に撓もうとする。しかし、チャック７０とチャック７１との間の範囲のプラスチックフィルム７２、７４のチャック７１側の端部は、チャック７１によってプラスチックフィルム７２とプラスチックフィルム７４とが互いに離れないように保持している。そのため、シール部８８より袋側部分Ｐとは反対側のロック部９１を構成する雌鈎爪８３と雄鈎爪８５とは互いに気密性を維持した状態を維持する。
【００３１】
密封構造式チャック付き湿吸包材のチャックは、上記のチャックに限定されず、例えば、以下のように種々変更してもよい。
【００３２】
図４に示すように、チャック７０ａは、雄鈎爪８４、８５の根元が薄くなっている。また、雌鈎爪８２、８３の先端が雄鈎爪８４、８５の根元の近傍まで伸びている。このような構成にすることにより、チャック７０ａをコンパクトにまとめることができるので、薄手のフィルムや小容量の包材に利用可能である。
【００３３】
図５に示すように、チャック７０ｂは、シール部を二重に設けたもので、雄鈎爪８４、８５の内側に１つの独立壁８９を設け、これに二つの押しつけリブ９３ａ及び９３ｂを設けてシール部としたものである。このためプラスチックチャックの幅は広くなるがシールが二重に行えるため密閉度を高くすることができる。チャック７０ｂは、厚手のフィルムを用いた包材又は大容量の包材用として有用である。
【００３４】
図６に示すように、チャック７０ｃは、雄鈎爪８４、８５の内側に押しつけリブ９３ｃを設け、雌鈎爪８２、８３の内側に締めつけ壁９３ｄ、９３ｅを設け、さらに材質として成形が容易で弾力性のあるプラスチックチャックである利点を利用して、締めつけ壁９３ｄ、９３ｅの外側壁を押しつけリブとして雄鈎爪８４、８５の内側壁面との間にシールラインを形成させることもできる。
【００３５】
図７に示すように、チャック７０ｄは、さらに強度の圧力あるいは大容量のために、雌、雄の鈎爪が内圧によっては簡単に剥離しないようにロック押え９４ａ、９４ｂを設けてもよい。この場合、内圧だけを問題とするなら、ロック押え９４ａ、９４ｂは包材の内側だけに設けるだけでもよい。
【００３６】
図８に示すように、チャック７０ｅは、チャック７０のような押しつけリブと締め付け壁とを備えなくてもよい。
【実施例】
【００３７】
次に、実施例を挙げて、密封構造式吸水チャックについて具体的に説明する。
【００３８】
（実施例１）
親水性ゼオライト６０ｋｇと密度が０．９１９ｇ／ｍｌ、ＭＦＲ（１９０℃、２．１６ｋｇ）が８の低密度ポリエチレン（ＬＤＰＥ）１４０ｋｇとを混錬し、ダイス径４ｍｍφ×４穴のダイスを用いて押出し、ゼオライトを３０％含有するＬＤＰＥのペレットを得た。
その後、本ペレットと密度が０．９２６ｇ／ｍｌ、ＭＦＲ（１９０℃、２．１６ｋｇ）が０．９の低密度ポリエチレン（ＬＤＰＥ）とを用い、一対のプラスチックフィルムをゼオライトを含有する低密度ポリエチレン（ＬＤＰＥ）、チャックの雄鈎爪と雌鈎爪の部分をゼオライト非含有の低密度ポリエチレン（ＬＤＰＥ）となるように共押出しし、密封構造式吸水チャックを形成した。
【００３９】
（比較例１）
ゼオライトを混合しない以外は実施例と同様にした密閉構造式チャックを形成した。
【００４０】
（評価）
実施例の密封構造式吸水チャック及び比較例の密閉構造式チャックについて、以下の吸水評価を実施した。
（吸水評価）
実施例１の密封構造式吸水チャック及び比較例１の密封構造式チャックを、１ｃｍ×１ｃｍの大きさに切り取り試験片を作成し、それらの試験片の重量を測定した。それらの試験片を、２５℃、ＲＨ１００％の恒温恒湿Ｂｏｘに入れ、それらの試験片の重量の経時変化を測定し、ゼオライト添加量に対する吸着性能（％）を算出した。実施例１の試験片は添加したゼオライトの吸着性能に近い吸着性能を有することを認めることができたが、比較例１の試験片の吸着性能はほとんど認められなかった。図９に、算出したゼオライト添加量に対する吸着性能の経時変化の結果を示した。図９中、ゼオライト添加量に対する吸着性能とは、添加したゼオライトの吸着性能と同等に吸水した場合を１００％とした。
【符号の説明】
【００４１】
１０  密封構造式吸水チャック付き湿分吸収包材
２０  外層
２２  プラスチック層
２４  アルミ箔層
３０  内層
３２  吸湿性プラスチック層
３４  ゼオライト非含有ポリオレフィン層
４０  積層フィルム
５０  袋状本体
５２  開口部
６０  チャック部（密封構造式吸水チャック）
７０、７０ａ、７０ｂ、７０ｃ、７０ｄ、７０ｅ、７１  チャック
７２、７４  プラスチックフィルム
７２ａ、７４ａ  プラスチックフィルムの吸湿性プラスチック層
７２ｂ、７４ｂ  プラスチックフィルムのゼオライト非含有ポリオレフィン層
７５、７６  プラスチックフィルムの貫通孔
８２、８３  雌鈎爪
８４、８５  雄鈎爪
８６、８７  シール部分
８８  シール部
８９  独立壁
９０、９１  ロック部
９２  締めつけ壁
９３、９３ａ、９３ｂ、９３ｃ  押しつけリブ
９３ｄ、９３ｅ  締めつけ壁
９４ａ、９４ｂ  ロック押え
９５  凹み
【図１】
0005947008.tif 000002
【図２】
0005947008.tif 000003
【図３】
0005947008.tif 000004
【図４】
0005947008.tif 000005
【図５】
0005947008.tif 000006
【図６】
0005947008.tif 000007
【図７】
0005947008.tif 000008
【図８】
0005947008.tif 000009
【図９】
0005947008.tif 000010